(57)【要約】      （修正有） 【課題】補強兼表示用シートの「バタツキ」又は「づれ動き」阻止できる食品その他の小物商品を収容するためののネット袋の提供。【解決手段】熱溶着可能とする材料で製したネット袋主体１に対して、当該ネット袋主体１の縦方向の長さと等しい長さを具えた補強兼表示用シート２を、当該ネット袋主体１の表裏またその何れか一方に位置させて成るネット袋であって、ネット袋主体１の表面と裏面の下端中央寄り部分に対して、表裏に位置する補強兼表示用シート２の下端中央寄り部分を擬似接着しておくためにスポット状熱溶着部Ｍ，Ｎを形成するように構成したネット袋。【選択図】図１
0003139994.tif 000002
【実用新案登録請求の範囲】
【請求項１】
熱溶着可能とする材料で製したネット袋主体(１)に対して、当該ネット袋主体(１)の縦方向の長さと等しい長さを具えた熱溶着可能とする合成樹脂製シート材で形成した補強兼表示用シート(２，３)を、当該ネット袋主体(１)の表裏またその何れか一方に位置させて成るネット袋であって、上記ネット袋主体(１)の表面と裏面の下端中央寄り部分に対して、表裏に位置する補強兼表示用シート(２，３)の下端中央寄り部分を一括して擬似接着しておくためのスポット状熱溶着部(Ｍ，Ｎ)を形成するように構成したネット袋。
【請求項２】
熱溶着可能とする材料で製したネット袋主体(１)に対して、当該ネット袋主体(１)の縦方向の長さと等しい長さを具えた熱溶着可能とする合成樹脂製シート材で形成した補強兼表示用シート(２，３)を、当該ネット袋主体(１)の表裏またその何れか一方に位置させて成り、かつ、当該補強兼表示用シート(２，３)は、その表面に当該ネット袋主体(１)内に収容する商品に関する各種表示の印刷を施し、当該ネット袋主体(１)の上縁側開口部は、ネット袋主体(１)と補強兼表示用シート(２，３)の三者を一括して溶着して閉塞し、更に、ネット袋主体(１)の下縁側開口部の閉塞を、ネット袋主体(１)内に対する所定商品の収容状態において、当該下端部分に対して一括した下端側閉塞部(Ｂ)を形成するように構成したネット袋であって、上記ネット袋主体(１)の表面と裏面の下端中央寄り部分に対して、表裏に位置する補強兼表示用シート(２，３)の下端中央寄り部分を一括して擬似溶着しておくためのスポット状熱溶着部Ｍ，Ｎを形成するように構成したネット袋。
【請求項３】
擬似接着しておくためのスポット状熱溶着部(Ｍ，Ｎ)を、ネット袋主体(１)の表側面部(1ａ)と裏側面部(1ｂ)に対して、互いの独立した形態で形成することにより、当該表側面部(1ａ)と裏側面部(1ｂ)とはその内面を非接合状態に保たせるように構成した請求項１または請求項２に記載のネット袋。
【請求項４】
ネット袋主体として、両側部に折込み用マチ部を形成したネット袋を用いてなる請求項１乃至請求項３の何れかに記載のネット袋。
【請求項５】
ネット袋主体として、補強兼表示用シート(２，３)の横幅より幅広とするネット袋主体を用いた請求項１乃至請求項４の何れかに記載のネット袋。
【請求項６】
ネット袋主体として、補強兼表示用シート(２，３)の横幅と等しい横幅を具えたネット袋主体(12)を用いた請求項１乃至請求項４の何れかに記載のネット袋。
【請求項７】
ネット袋主体として、延伸したフイルムから製造した割繊網状体を縦・横方向に配列した特殊不織布である「ワリフ（商品名）」の表面に合成樹脂製フイルムを重合溶着してなる材料で製したことを特徴とする請求項１乃至請求項６の何れかに記載のネット袋。
【考案の詳細な説明】
【技術分野】
【０００１】
本考案は、食品その他の小物商品を収容するためのネット袋に関する。
【背景技術】
【０００２】
従来、多数のモノフィラメント状の線条を交差して一体化した伸縮自在な網目を構成してなるネット袋がある（例えば、特許文献１参照。）。
然し乍、このようなネット袋の致命的な問題点は、内部に収容する商品に関する商品名表示、バーコード表示、原材料マーク表示、原産地表示等の各種表示を施す場合、当該袋は網状であるために、このような表示を直接印刷することが不可能とされる点にあった。
【０００３】
このような問題を解消したネット袋として、本考案と同一の発明者・出願人とする特許出願に係る「ネット袋」がある（特許文献２参照。）。  これは、図４に示すように、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏に位置させ、また、当該補強兼表示用シート２，３は、その表面に当該ネット袋主体１内に収容する商品に関する各種表示の印刷を施したものとし、当該ネット袋主体１の上縁側開口部は、熱溶着部Ａを形成することによりネット袋主体１と補強兼表示用シート２，３の三者を一括して溶着して閉塞し、更に、ネット袋主体１の下縁側開口部の閉塞、及び、当該ネット袋主体１の下端縁に対する補強兼表示用シート２，３の下端縁の固定化を図るために、ネット袋主体(１)内に対する所定商品の収容状態において、当該下端部分に対して一括した下端側閉塞部Ｂを形成したネット袋に関するものである。
【０００４】
【特許文献１】特許第２９６４３３１号
【特許文献２】特願２００７−１４２５１号
【考案の開示】
【考案が解決しようとする課題】
【０００５】
上記した図４に示す従来のネット袋の場合、所定商品の収容前の状態においては、補強兼表示用シート２，３の下端はネット袋主体１に対する溶着が成されていないもの、すなわち、これの溶着は所定商品の収容後における熱溶着による封緘処理において一括して行うように構成したものであった。  従って、使用前のネット袋としての保管、並びに商品収容時には、当該補強兼表示用シート２，３はその下端がフリーな状態であるために、これがズレ動いたり、捲れたりして、その保管並びに商品収容作業に齟齬をきたすことがあった。
【０００６】
本考案は、上述したような従来の問題点を解消した新規のネット袋の提供を図ったものである。
【課題を解決するための手段】
【０００７】
本考案は請求項１に記載のように、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏またその何れか一方に位置させて成るネット袋であって、上記ネット袋主体１の表面と裏面の下端中央寄り部分に対して、表裏に位置する補強兼表示用シート２，３の下端中央寄り部分を一括して擬似接着しておくためのスポット状熱溶着部(Ｍ，Ｎ)を形成するように構成したネット袋に関する。
【０００８】
また、本考案は請求項２に記載のように、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏またその何れか一方に位置させて成り、かつ、当該補強兼表示用シート２，３は、その表面に当該ネット袋主体１内に収容する商品に関する各種表示の印刷を施し、当該ネット袋主体１の上縁側開口部は、ネット袋主体１と補強兼表示用シート２，３の三者を一括して溶着して閉塞し、更に、ネット袋主体１の下縁側開口部の閉塞を、ネット袋主体１内に対する所定商品の収容状態において、当該下端部分に対して一括した下端側閉塞部Ｂを形成するように構成したネット袋であって、上記ネット袋主体１の表面と裏面の下端中央寄り部分に対して、表裏に位置する補強兼表示用シート２，３の下端中央寄り部分を一括して擬似接着しておくためのスポット状熱溶着部Ｍ，Ｎを形成するように構成したネット袋を実施の態様とするものである。
【０００９】
また、本考案は請求項３に記載のように、擬似接着しておくためのスポット状熱溶着部Ｍ，Ｎを、ネット袋主体１の表側面部1ａと裏側面部1ｂに対して、互いの独立した形態で形成することにより、当該表側面部1ａと裏側面部1ｂとはその内面を非接合状態に保たせるように構成して実施することができる。
【００１０】
なお、上記したネット袋主体１としては、請求項４に記載のように、両側部に折込み用マチ部を形成したネット袋主体を用いて実施する場合、請求項５に記載のように、補強兼表示用シート２，３の横幅より幅広とするネット袋主体を用いて実施する場合、更に、請求項６に記載のように、補強兼表示用シート２，３の横幅と等しい横幅を具えたネット袋主体を用いるようにした実施する場合があり、本考案はこれらを実施の態様とするものである。
【００１１】
更に本考案は、請求項７に記載のように、ネット袋主体として、延伸したフイルムから製造した割繊網状体を縦・横方向に配列した特殊不織布である「ワリフ（商品名）」の表面に合成樹脂製フイルムを重合溶着してなる材料で製するようにして実施する場合があり、本考案はこのような形態も実施の態様とするものである。
【考案の効果】
【００１２】
本考案に係るネット袋は、請求項１に記載のような構成、すなわち、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏またその何れか一方に位置させて成るネット袋であって、上記ネット袋主体１の表面と裏面の下端中央寄り部分に対して、表裏に位置する補強兼表示用シート２，３の下端中央寄り部分を一括して擬似接着しておくためのスポット状熱溶着部(Ｍ，Ｎ)を形成するように構成したから、当該スポット状熱溶着部Ｍ，Ｎの存在に基づき、補強兼表示用シート２，３の下端部が「バタツキ」または「づれ動き」を生じてしまうことをよく阻止することとなる。
【００１３】
従って、従来のネット袋の場合に生じた所定商品の収容前の状態においては、補強兼表示用シート２，３の下端はネット袋主体１に対する溶着が成されていないために、当該補強兼表示用シート２，３がズレ動いたり、捲れたりして、その保管並びに商品収容作業に齟齬をきたすと言うような問題は、本考案にあっては全く解消されることとなる。
【００１４】
本考案に係るネット袋は、請求項２に記載のような構成、すなわち、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏またその何れか一方に位置させて成り、かつ、当該補強兼表示用シート２，３は、その表面に当該ネット袋主体１内に収容する商品に関する各種表示の印刷を施し、当該ネット袋主体１の上縁側開口部は、ネット袋主体１と補強兼表示用シート２，３の三者を一括して溶着して閉塞し、更に、ネット袋主体１の下縁側開口部の閉塞を、ネット袋主体１内に対する所定商品の収容状態において、当該下端部分に対して一括した下端側閉塞部Ｂを形成するように構成したネット袋であって、上記ネット袋主体１の表面と裏面の下端中央寄り部分に対して、表裏に位置する補強兼表示用シート２，３の下端中央寄り部分を一括して擬似接着しておくためのスポット状熱溶着部Ｍ，Ｎを形成するように構成したから、下記するような効果を奏することとなる。
【００１５】
すなわち、請求項２に記載のように、補強兼表示用シート２，３は、その表面に当該ネット袋主体１内に収容する商品に関する各種表示の印刷を施し、当該ネット袋主体１の上縁側開口部は、ネット袋主体１と補強兼表示用シート２，３の三者を一括して溶着して閉塞し、更に、ネット袋主体１の下縁側開口部の閉塞を、ネット袋主体１内に対する所定商品の収容状態において、当該下端部分に対して一括した下端側閉塞部Ｂを形成するように構成したから、当該補強兼表示用シート２，３部分に、ネット袋主体１内に収容する商品に対する必要関連事項、例えば商品名表示、製造・販売業者名表示、バーコード表示、原材料マーク表示、原産地表示等の各種表示を印刷しておくことができる。  従って、その表示可能面積が、従来のネット袋に比較して著しく広くすることができるネット袋を、本考案の実施の対象とすることができる。
【００１６】
本考案に係るネット袋は、請求項３に記載のような構成、すなわち、擬似接着しておくためのスポット状熱溶着部Ｍ，Ｎを、ネット袋主体１の表側面部1ａ)裏側面部1ｂに対して、互いの独立した形態で形成することにより、当該表側面部1ａと裏側面部1ｂとはその内面を非接合状態に保たせるように構成することにより、商品の収容作業が容易かつ迅速に行われることとなる。  すなわち、請求項１または請求項２に記載のように、表裏に位置する補強兼表示用シート２，３の下端中央寄り部分を一括して擬似接着しておくためのスポット状熱溶着部Ｍ，Ｎを形成するように構成した場合、その製造作業は一括的スポット状熱溶着に基づき極めて簡便行われるが、商品収容時には、表側面部1ａと裏側面部1ｂとを引き剥がす必要があり、この作業を行わない場合は、当該スポット状熱溶着部Ｍ，Ｎの両側に形成されている隙間から商品を収容しなければならないいが、請求項３に記載のような構成の採用に基づき、このような問題は解消されることとなる。
【００１７】
本考案に係るネット袋は、請求項４に記載のような構成、すなわち、ネット袋主体として、両側部に折込み用マチ部を形成したネット袋主体を用いることにより、また、請求項５に記載のように、補強兼表示用シート２，３の横幅より幅広とするネット袋主体を用いることにより、当該部分の開拡に基づき、ネット袋としての収容力が高められると共に、当該開拡部分から収容商品の確認が充分に果されることとなる。
【００１８】
また、請求項６に記載のように、ネット袋主体として、補強兼表示用シート２，３の横幅と等しい横幅を具えたネット袋主体12を用いるように構成することにより、扁平商品または少量商品に対する収容袋として最適とされ、また、この場合に於いても、ネット袋の側縁部分は網状部分が露出されているため、当該部分からの収容商品の確認が可能化される。
【００１９】
更に本考案は請求項７に記載のように、ネット袋主体１として、延伸したフイルムから製造した割繊網状体を縦・横方向に配列した特殊不織布である「ワリフ（商品名）」の表面に合成樹脂製フイルムを重合溶着してなる材料で製することにより、袋として柔軟性を損なうことなく強靭性を具えたものとされる。
【考案を実施するための最良の形態】
【００２０】
図４は本考案に係るネット袋に対して商品の収容後に底縁を封緘した状態を表した斜視図である。  本考案はこのようなネット袋における商品収容前の状態の形態に特徴を有するものである。
【００２１】
図１乃至図３において、１はネット袋主体であって、多数のモノフィラメント状の合成樹脂製線条を交差して一体化した伸縮自在な網目を有する網材で形成されている。  
なお、図示の実施例に於いて、当該ネット袋主体１は正面部と背面部とを二枚合わせとした形態のものとしてあるが、側面にマチ部を形成して商品収容量の増大化を図ったような形態のものであっても良い。  すなわち、本考考案にあっては、ネット袋主体の形態はこれが網目状を具えたものであることを要件とし、その袋の大きさ及び形態に関する限定性は存在しない。
【００２２】
更に、上記したネット袋主体１であるが、これは単なる網材で形成する以外、延伸したフイルムから製造した割繊網状体を縦・横方向に配列した特殊不織布である「ワリフ（商品名）」の表面に合成樹脂製フイルムを重合溶着してなる材料を用いて形成する場合もある。  ところで、上記した「ワリフ」とは、新日石プラスト社が商標を所有する商品であり、延伸したフイルムから製造した割繊網状体を縦・横方向に配列した特殊不織布で、メッシュ構造で高い通気性と強度を有している。  そして、そのメッシュ構造に基づきＡ「薄くて軽量、通気性が良い」、Ｂ「縦・横ともに高強度でバランスがよく、腰が強い」、Ｃ「目ズレがなく定形性に優れる」、Ｄ「他素材との組合せなど加工性に優れる」、Ｅ「滞水、耐薬品性に優れる」と言うような特性を備えた素材である。  従って、このような「ワリフ」の表面に合成樹脂製フイルムを重合溶着してなる材料をから成るネット袋主体１を用いることにより、袋として柔軟性を損なうことなく強靭性を具えたものとされる。
【００２３】
２，３は熱溶着可能とする合成樹脂製シート材で形成した補強兼表示用シートであって、ネット袋主体１の縦方向の長さと等しい長さを具えたものであり、当該ネット袋主体１の表裏両面に取付けられるものである。  そして、その取付け形態であるが、補強兼表示用シート２，３の上縁寄り部分は、ネット袋主体１に対して縦方向にやや幅広く一括して熱溶着部Ａを形成して、ネット袋主体１と補強兼表示用シート２，３の一括的溶着を施して封緘するように構成してある。  
【００２４】
ａは上記した熱溶着部Ａの所要箇所に貫通させて設けた穿設穴であって、商品の引掛け的展示、または、携行用持ち手として機能させるためのものであり、その穿設形状は図示のものに限定されるものではない。
【００２５】
Ｍ，Ｎはネット袋主体１の表面と裏面の下端中央より部分に対して、表裏に位置する補強兼表示用シート２，３の下端中央より部分を擬似接着（仮止め）しておくために形成したスポット状熱溶着部であって、これにより当該補強兼表示用シート２，３の下端部が「バタツキ」または「づれ動き」を生じてしまうことを阻止している。
【００２６】
なお、上記したスポット状熱溶着部Ｍ，Ｎは、ネット袋主体１の表側面部1ａと裏側面部1ｂに対して、互いの独立した形態で形成したものであり、従って、当該表側面部1ａと裏側面部1ｂとはその内面が非接合状態を保っており、ネット袋主体１の下端縁側からの商品収容上の齟齬をきたさないように構成してある。
【００２７】
然し乍、上記スポット状熱溶着部Ｍ，Ｎは、図示のように表側面部1ａと裏側面部1ｂとはその内面が非接合状態を保つような形態とする以外、当該スポット状熱溶着部Ｍ，Ｎを一括したものとするように形態で形成して実施することもできる。  この場合、商品収容作業時には、通常当該スポット状熱溶着部Ｍ，Ｎ部分を引き剥がして、底部を大きく開口させることが望まししく、この場合このような擬似接着の解消作業を要するが、製造作業時には一括的スポット状熱溶着部の形成に基づき、製造作業の簡便化・容易化が図られることとなる。
【００２８】
なお、図示の実施例にあっては、上記した補強兼表示用シート２，３の横幅をネット袋主体１より幅狭とするように構成してあるが、ネット袋主体として、補強兼表示用シート２，３の横幅をネット袋主体と等しい横幅とするように構成しても良い。  すなわち、本考案にあってはネット袋主体１に対して補強兼表示用シートを設けるようにしたネット袋を実施の対象とするものであり、そのサイズ的な問題に限定されるものではない。
【００２９】
更に、上記した補強兼表示用シートは、図示のように表裏両面に取付ける以外、表面または裏面の何れか一方に取付けるように構成することもできる。  この場合、補強力及び表示力は表裏両面に設ける場合に比して半減されるが、片側面全体が網目状部分とされるため、収容商品の透視性・確認性という点では優れたものとされる。  本考案はこのような形態のネット袋に対して実施する場合もある。
【００３０】
上記した状態においては、ネット袋主体１の下縁側開口部は開放状態を保っていると共に、補強兼表示用シート２，３の下端縁はスポット状熱溶着部Ａ，Ｂに基づき仮止めされた状態となっている。
【００３１】
そして、本考案に係る「ネット袋」は、この状態が「ネット袋」自体の製品形態であり、ネット袋主体１の下縁側開口部の閉塞、及び、当該ネット袋主体１の下端縁全長に亘っての補強兼表示用シート２，３下端縁の固定化は、ネット袋主体１内に対する所定商品の収容後において、当該部分を閉塞するわけであるが、その閉塞する手段としては、当該部分を熱溶着に基づき閉塞する手段、または、ステイプラー（商標：ホッチキス）により閉塞する手段、或いは、紐により一括して束ねた結束形態に閉塞する手段があるが、本考案における閉塞部Ｂは、このような手段の何れかに基づきその閉塞を成すものである。
【００３２】
そして、上記した下端側開口部の閉塞状態に於いては、補強兼表示用シート２，３の下端縁は、ネット袋主体１の下端縁に対して確固たる固定状態に保たれ、これにより、当該ネット袋主体１の縦方向の伸びは、当該補強兼表示用シート２，３の存在による伸縮性の防止、及び縦方向の補強目的が達成される。
【００３３】
また、前記した補強兼表示用シート２，３の表面には、ネット袋主体１内に収容する商品に対する必要関連事項、例えば商品名表示、製造・販売業者名表示、バーコード表示、原材料マーク表示、原産地表示等の各種表示を予め印刷しておくものとする。  そして、当該補強兼表示用シート２，３に対するこのような表示は、表面側と裏面側とを同一表示とするような限定性は無く、表面側には商品の表面用としての表示を、また、裏面側には商品の裏面用としての表示を施すことを原則とするが、これは絶対的なものではなく、表裏同一表示を施しておく場合もある。
【００３４】
本考案に係るネット袋は、既存のこの種ネット袋と同様にして使用に供するものである。  そして、補強兼表示用シート２，３部分には、収容商品に対する説明等を施すことにより、購入者に対する商品の説明責任が果される。  同時に、当該補強兼表示用シート２，３の存在は、ネット袋主体１の縦方向に対する補強作用を奏し、メッシュ独特の腰の無さというようなことが解消される。
【図面の簡単な説明】
【００３５】
【図１】本考案に係るネット袋の正面図である。
【図２】図１におけるＸ−Ｘ線拡大断面図である。
【図３】図１におけるＹ−Ｙ線拡大断面図である。
【図４】商品を収容しかつ下端縁に対する封緘処理を施した状態を表した斜視図である。
【符号の説明】
【００３６】
Ａ  熱溶着部
ａ  穿設穴
Ｂ  下縁側開口部の閉塞部
１  ネット袋
1a  表側面部
1ｂ 裏側面部
２  補強兼表示用シート
３  補強兼表示用シート
M  スポット状熱溶着部
N  スポット状熱溶着部
【図１】
0003139994.tif 000003
【図２】
0003139994.tif 000004
【図３】
0003139994.tif 000005
【図４】
0003139994.tif 000006
【手続補正書】
【提出日】平成19年12月17日(2007.12.17)
【手続補正１】
【補正対象書類名】実用新案登録請求の範囲
【補正対象項目名】請求項７
【補正方法】変更
【補正の内容】
【請求項７】
ネット袋主体として、延伸したフイルムから製造した割繊網状体を縦・横方向に配列した特殊不織布である「ワリフ（登録商標）」の表面に合成樹脂製フイルムを重合溶着してなる材料で製したことを特徴とする請求項１乃至請求項６の何れかに記載のネット袋。
【手続補正２】
【補正対象書類名】明細書
【補正対象項目名】００１１
【補正方法】変更
【補正の内容】
【００１１】
更に本考案は、請求項７に記載のように、ネット袋主体として、延伸したフイルムから製造した割繊網状体を縦・横方向に配列した特殊不織布である「ワリフ（登録商標）」の表面に合成樹脂製フイルムを重合溶着してなる材料で製するようにして実施する場合があり、本考案はこのような形態も実施の態様とするものである。
【手続補正３】
【補正対象書類名】明細書
【補正対象項目名】００１９
【補正方法】変更
【補正の内容】
【００１９】
更に本考案は請求項７に記載のように、ネット袋主体１として、延伸したフイルムから製造した割繊網状体を縦・横方向に配列した特殊不織布である「ワリフ（登録商標）」の表面に合成樹脂製フイルムを重合溶着してなる材料で製することにより、袋として柔軟性を損なうことなく強靭性を具えたものとされる。
【手続補正４】
【補正対象書類名】明細書
【補正対象項目名】００２２
【補正方法】変更
【補正の内容】
【００２２】
更に、上記したネット袋主体１であるが、これは単なる網材で形成する以外、延伸したフイルムから製造した割繊網状体を縦・横方向に配列した特殊不織布である「ワリフ（登録商標）」の表面に合成樹脂製フイルムを重合溶着してなる材料を用いて形成する場合もある。  ところで、上記した「ワリフ」とは、新日石プラスト社が商標を所有する商品であり、延伸したフイルムから製造した割繊網状体を縦・横方向に配列した特殊不織布で、メッシュ構造で高い通気性と強度を有している。  そして、そのメッシュ構造に基づきＡ「薄くて軽量、通気性が良い」、Ｂ「縦・横ともに高強度でバランスがよく、腰が強い」、Ｃ「目ズレがなく定形性に優れる」、Ｄ「他素材との組合せなど加工性に優れる」、Ｅ「滞水、耐薬品性に優れる」と言うような特性を備えた素材である。  従って、このような「ワリフ」の表面に合成樹脂製フイルムを重合溶着してなる材料をから成るネット袋主体１を用いることにより、袋として柔軟性を損なうことなく強靭性を具えたものとされる。